(57)【要約】【課題】  従来の押圧転写用型版においては、複数個の型版を一台の汎用の押圧転写装置に直接に取り付けて使用するため、異なるロット毎に、複数個の型版を取り外して、他の複数個の型版を取り付ける必要があり、取り外し操作と取り付け操作との操作に多大の時間を必要としていた。本発明は、複数個の型版を押圧転写装置から取り外し、他の複数個の型版をその押圧転写装置に取り付ける場合に、その取り外し作業と取付作業等の操作作業が容易であり、また、それらの複数個の型版の保管が簡便である押圧転写用型版を提供する。【解決手段】  複数個の版型（２２）が固定部材（２３）により基板（２１）に互いに一体に固定され、複数個の版型（２２）と基板（２１）とが一体に固定された状態で、押圧転写装置の押圧盤（１）に脱着可能に取り付けできる押圧転写用型版。【選択図】  図１
2005305737.tif 000002
【特許請求の範囲】
【請求項１】
押圧転写装置の押圧盤に取付部材によって脱着可能に取り付けられる押圧転写用型版であって、基板（２１）と固定部材（２３）と複数個の版型（２２）とを備え、前記基板（２１）と前記複数個の版型（２２）とが前記固定部材（２３）によって互いに一体に固定され、前記基板（２１）と前記複数個の版型（２２）とが一体に固定された状態で、前記押圧盤に脱着可能に取り付けできることを特徴とする押圧転写用型版。
【請求項２】
前記複数個の版型（２２）の各版型の押圧面（２２ｆ）は所定の文字、図柄、記号及び画像等を形成する凹凸（２２ｇ）を有し、前記基板（２１）は、前記複数個の版型（２２）を固定するための複数個の基板側固定部（２１ａ）と、前記押圧盤に脱着可能に取り付けるための複数個の基板側取付部（２１ｍ、２１ｎ）とを有し、前記各版型（２２）は、前記基板（２１）に固定されるための版型側固定部（２２ａ）を有し、前記各版型（２２）は前記版型側固定部（２２ａ）と前記基板側固定部（２１ａ）において前記固定部材（２３）によって前記基板（２１）に固定されており、前記基板（２１）は前記各基板側取付部（２１ｍ、２１ｎ）において前記取付部材（５）によって前記押圧盤（１）に形成された押圧盤側取付部（１ａ）に着脱可能に取り付け可能であり、前記基板（２１）と前記複数個の版型（２２）とが一体に固定された状態で、前記押圧盤（１）に脱着可能に取り付けられることを特徴とする請求項１に記載の押圧転写用型版。
【請求項３】
前記固定部材（２３）は版型止めネジ（２３）を有し、前記基板（２１）の前記各基板側固定部（２１ａ）は前記版型止めネジ（２３）に合致する形状の基板タップ孔（２１ａ）を有し、前記版型（２２）の前記各版型側固定部（２２ａ）は前記版型止めネジに合致する形状の版型貫通孔を有し、前記版型止めネジ（２３）が、前記基板（２１）の第二面（２１ｄ）側に位置する前記版型（２２）の前記押圧面（２２ｆ）側から前記版型貫通孔（２２ａ）に挿入され、前記基板（２１）の第二面（２１ｄ）側から第一面（２１ｃ）側に向けて前記基板タップ孔（２１ａ）にネジ止めされて、前記各版型（２２）が前記基板（２１）に固定され、このようにして、前記基板（２１）と前記複数個の版型（２２）とが一体に固定され、かつ、前記版型止めネジ（２３）の頭部が前記版型（２２）の前記押圧面（２２ｆ）の表面よりも内部に入り込んだ位置に来るようにネジ止めされていることを特徴とする請求項２に記載の押圧転写用型版。
【請求項４】
前記版型貫通孔（２２ａ）は、前記版型止めネジ（２３）の外径よりも大きな口径を有し、前記各版型（２２）の固定位置の微調整ができるように、前記各版型（２２）が前記基板（２１）に固定されることを特徴とする請求項３に記載の押圧転写用型版。
【請求項５】
前記押圧盤側取付部（１ａ）は前記押圧盤に固有に規定された所定形状を有する押圧盤側取付ネジ穴（１ａ）を有し、前記取付部材（５）は傾斜形状のテーパ端面を有するテーパ取付補助板（５ａ）と前記テーパ取付補助板（５ａ）に形成された取付ネジ貫通孔（５ｃ）に挿入設置される補助板取付ネジ（５ｂ）とを有し、前記基板（２１）の前記各基板側取付部（２１ｍ、２１ｎ）は、前記取付部材（５）の所定形状に合致する形状の基板側取付開孔部（２１ｍ）及び／又は基板側端辺取付切欠部（２１ｎ）を有し、前記基板側取付開孔部（２１ｍ）及び／又は基板側端辺取付切欠部（２１ｎ）は、前記第二面（２１ｄ）側から第一面（２１ｃ）側に向かって短くなり、且つ、前記テーパ取付補助板（５ａ）に係合可能な形状のテーパ端面を有し、前記取付部材（５）が、前記基板（２１）の第二面（２１ｄ）側から前記基板（２１）の前記基板側取付開孔部（２１ｍ）又は基板側端辺取付切欠部（２１ｎ）の前記テーパ端面に合致して挿入されるとともに、前記補助板取付ネジ（５ｂ）が前記押圧盤側取付部（１ａ）にネジ止めされて、前記基板（２１）と前記複数個の版型（２２）とが一体になった状態で、前記押圧盤（１）に脱着可能に取り付けできることを特徴とする請求項２、３または４に記載の押圧転写用型版。
【請求項６】
前記基板（２１）と前記各版型（２２）との厚さの合計は、約５ｍｍから約１０ｍｍまでの範囲であり、前記基板（２１）の厚さが約３ｍｍから約７ｍｍまでの厚さであり、前記各版型（２２）の厚さが２ｍｍから６ｍｍまでの厚さであり、前記基板（２１）の厚さが前記版型（２２）の厚さよりも厚いことを特徴とする請求項１、２、３、４または５に記載の押圧転写用型版。
【請求項７】
前記固定部材（２３）としての版型止めネジ（２３）は、２ｍｍ以内の厚さのかさ部（２３ａ）と所定長さのネジ切部（２３ｂ）とを有し、前記版型止めネジ（２３）は前記版型（２２）の押圧面（２２ｆ）及び前記基板（２１）の第一面（２１ｃ）から突出することなく、前記版型（２２）または前記基板（２１）の内部に入り込んだ位置に位置することを特徴とする請求項１，２、３、４、５または６に記載の押圧転写用型版。
【請求項８】
請求項１、２、３，４、５、６または７に記載の押圧転写用型版を取り付けた押圧転写装置であって、押圧盤（１）と、前記押圧盤（１）に脱着可能に取り付けられる前記押圧転写用型版（２）とを備え、前記基板（２１）と前記複数個の版型（２２）とが一体に固定された前記押圧転写用型版（２）が前記押圧盤（１）に取り付けられた状態において、前記押圧転写用型版（２）と被転写製品（４）との間に転写材料（３）が載置された状態で、前記押圧転写用型版（２）と被転写製品（４）とが互いに押圧され、これにより、前記転写材料（３）が前記被転写製品（４）の表面に転写されて、前記押圧転写用型版（２）の所定の凹凸により形成された文字、図柄、画像等が前記被転写製品（４）に形成され、前記押圧転写用型版（２）が前記押圧盤（１）から取り外されたとき、前記基板（２１）と前記複数個の版型（２２）とが一体に固定された前記押圧転写用型版（２）が保管されることを特徴とする押圧転写装置。
【発明の詳細な説明】
【技術分野】
【０００１】
本発明は、箔押用版、エンボス版、ホットスタンピング版、及び、熱押圧転写版などに使用される押圧転写用型版に関する。
【背景技術】
【０００２】
従来の押圧転写用型版を取り付けた押圧転写装置の主要部の構成を示す説明図を図６に示す。図６において、文字、図柄又は画像などを凹凸により形成した押圧面を持つ押圧転写用型版としては、複数個の押圧転写用型版１０２が所定の押圧転写装置の押圧盤１０１に直接に取り付けられて使用される。この押圧転写用型版１０２は、箔押用版、エンボス版、ホットスタンピング版、熱押圧転写版などに使用される。複数個の押圧転写用型版１０２の下側に転写材シート１０３が載置され、その下に被転写製品１０４が載置されている。このような状態で、押圧盤１０１に取り付けられた複数個の押圧転写用型版１０２と被転写製品１０４とが転写材シート１０３を間に挟んだ状態で、互いに押圧されることにより、転写材シート１０３の材料により形成された凹凸形状の文字、図柄又は画像が被転写製品１０４の表面に転写されて形成される。次に、異なる文字、図柄又は画像などの形状を持つ異なるロットの型版１０２を使用して転写する場合、前のロットの型版１０２を取り外し、そして、異なるロットの型版１０２をその所定の押圧転写装置の押圧盤１０１に取り換えて取り付けて使用している。このように、このような押圧転写装置は高価であるため、多くの種類の型版をロット毎に取り換えて所定の押圧転写装置に取り付けて使用している。さらに、汎用の押圧転写装置において、取り付ける型版の厚さが、取り付けられる押圧転写装置に固有に規定された厚さに限定されており、例えば、熱押圧転写装置においては、取り付けられる型版の厚さは約７ｍｍ前後に既定されている。
【発明の開示】
【発明が解決しようとする課題】
【０００３】
従来の押圧転写用型版においては、複数個の型版を所定の押圧転写装置に直接に取り付けて使用するため、異なるロット毎に、複数個の型版を取り外して、そして、他の複数個の型版を取り付ける必要があり、取り外し操作と取り付け操作との操作に多大の時間を必要としていた。特に、一つのロットの転写体を得るため、押圧転写装置に取り付ける型版の数が３個以上の場合、多大の取り外し操作と取り付け操作の時間を必要とする。または、取り外し操作時間、及び、取り付け操作時間を節約するためには、多くの押圧転写装置を準備する必要がある。本発明は、文字、図柄、記号及び画像等を有する複数個の型版を押圧転写装置から取り外し、そして、他の複数個の型版をその押圧転写装置に取り付ける場合に、それらの異なるロットの複数個の型版の取り外し操作と取り付け操作との作業が容易であり、また、それらの複数個の型版の保管が簡便である押圧転写用型版を提供する。
【課題を解決するための手段】
【０００４】
本発明の押圧転写用型版は、押圧転写装置の押圧盤に、取付部材によって、脱着可能に取り付けられる押圧転写用型版であって、基板と固定部材と複数個の版型とを備え、前記基板と前記複数個の版型とは、前記固定部材によって互いに一体に固定され、前記基板と前記複数個の版型とが一体に固定された状態で、前記押圧盤に脱着可能に取り付けできることを特徴とする。
【０００５】
本発明の押圧転写装置は、押圧盤と、前記押圧盤に脱着可能に取り付けられた押圧転写用型版とを備える。前記基板と前記複数個の版型とが一体に固定された前記押圧転写用型版が、前記押圧盤に取り付けられた状態において、押圧転写用型版と被転写製品との間に転写材料が載置された状態で、前記押圧転写用型版と被転写製品とが互いに押圧され。これにより、前記転写材料が前記被転写製品の表面に転写されて、前記押圧転写用型版の所定の凹凸により形成された文字、図柄、記号、及び画像等が前記被転写製品に形成される。前記押圧転写用型版が前記押圧盤から取り外されたとき、前記基板と前記複数個の版型とが一体に固定された前記押圧転写用型版が保管されることを特徴とする。
【０００６】
前記押圧転写用型版及び前記押圧転写装置において、望ましくは、以下のような構成を有する。
【０００７】
望ましくは、前記複数個の版型の各版型の押圧面は所定の文字、図柄、記号及び画像等を形成する凹凸を有する。前記基板は、前記複数個の版型を固定するための複数個の基板側固定部と、前記押圧盤に脱着可能に取り付けるための複数個の基板側取付部とを有する。前記各版型は、前記基板に固定されるための版型側固定部を有する。前記各版型は、前記版型側固定部と前記基板側固定部において、前記固定部材によって、前記基板に固定されている。前記基板は、前記各基板側取付部において、前記取付部材によって、前記押圧盤に形成された押圧盤側取付部に着脱可能に取り付けられる。
【０００８】
望ましくは、前記固定部材は版型止めネジを有し、前記基板の前記各基板側固定部は前記版型止めネジに合致する形状の基板タップ孔を有し、前記版型の前記各版型側固定部は前記版型止めネジに合致する形状の版型貫通孔を有し、前記版型止めネジが、前記基板の第二面側に位置する前記版型の前記押圧面側から前記版型貫通孔に挿入され、前記基板の第二面側から第一面側に向けて前記基板タップ孔にネジ止めされて、前記各版型が前記基板に固定され、このようにして、前記基板と前記複数個の版型とが一体に固定され、かつ、前記版型止めネジの頭部が前記版型の前記押圧面の表面よりも内部に入り込んだ位置に来るようにネジ止めされている。
【０００９】
望ましくは、前記版型貫通孔は、前記版型止めネジの外径よりも大きな口径を有し、前記各版型の固定位置の微調整ができるように、前記各版型が前記基板に固定される。
【００１０】
望ましくは、前記押圧盤側取付部は前記押圧盤に固有に規定された所定形状を有する押圧盤側取付ネジ穴を有し、前記取付部材は傾斜形状のテーパ端面を有するテーパ取付補助板と前記テーパ取付補助板に形成された取付ネジ貫通孔に挿入設置される補助板取付ネジとを有する。前記基板の前記各基板側取付部は、前記取付部材の所定形状に合致する形状の基板側取付開孔部及び／又は基板側端辺取付切欠部を有する。前記基板側取付開孔部及び／又は基板側端辺取付切欠部は、前記第二面側から第一面側に向かって短くなり、且つ、前記テーパ取付補助板に係合可能な形状のテーパ端面を有する。前記テーパ取付補助板が、前記基板の第二面側から前記基板の前記基板側取付開孔部又は基板側端辺取付切欠部の前記テーパ端面に合致して挿入されるとともに、前記補助板取付ネジが前記押圧盤側取付ネジ穴にネジ止めされて、前記基板と前記複数個の版型とが一体に固定された状態で、前記押圧盤に脱着可能に取り付けられる。
【００１１】
望ましくは、前記基板と前記各版型との厚さの合計は、約５ｍｍから約１０ｍｍまでの範囲であり、前記基板の厚さが約３ｍｍから約７ｍｍまでの厚さであり、前記各版型の厚さが２ｍｍから６ｍｍまでの厚さであり、前記基板の厚さが前記版型の厚さよりも厚い。
【００１２】
望ましくは、前記版型止めネジは、２ｍｍ以内の厚さのかさ部と所定長さのネジ切部とを有し、前記版型止めネジが前記版型の押圧及び面前記基板の第一面から突出していない。
【発明の効果】
【００１３】
本発明の押圧転写用型版及びそれを使用した押圧転写装置において、予め複数個の版型を一つの基板に固定して一体となって一つの押圧転写用型版として組み立てておいて使用するため、その複数個の版型の保管や運搬時に、これらの複数個の版型がバラバラに分離・分散することなく、一体となって一つの押圧転写用型版として容易に保管・運搬できる。また、所定の押圧転写装置を使用して、一つのロットの複数個の版型を押圧転写装置から取り外して、異なるロットの異なる他の複数個の版型を押圧転写装置に取り付けて使用する場合、予め複数個の版型を一体に固定して組み立てた押圧転写用型版をその押圧転写装置に取り付けて使用し、そして、使用後、その押圧転写用型版を押圧転写装置から取り外して、異なるロットの文字、図柄、記号及び画像等を有する他の複数個の版型を一体に固定して組み立てた他の押圧転写用型版を取り付けて使用するため、これらの異なるロットの複数個の版型の取り外しと取り付けとの操作が短時間に行え、取扱い操作が容易になる。さらに、複数個の版型の取り外しと取り付けとの操作が短時間に行えるため、所定の押圧転写装置を使用して、異なるロットの複数個の版型を容易に入れ替えて取り付けることが出来、多くの押圧転写装置を必要とすることなく、所定の押圧転写装置を有効に使用することが出来るようになる。
【発明を実施するための最良の形態】
【００１４】
本発明の実施例を図面を使用して説明する。本発明の一実施例の押圧転写用型版の概略図を図１に示し、（Ａ）は平面図であり、（Ｂ）は側面図である。図１に示される押圧転写用型版を使用した押圧転写装置の主要部の構成図を図２に示す。図１及び図２に示される複数個の版型のうちの１個の版型の概略図を図３に示し、（Ａ）は平面図であり、（Ｂ）は側面図である。複数個の版型のうちの１個の版型と基板とを固定した構成を示す主要部の拡大断面図を図４に示す。押圧転写用型版を押圧転写装置の押圧盤に取り付けた構成の主要部の拡大断面図を図５に示す。図１において、押圧転写用型版２は、基板２１と複数個の版型２２と固定部材２３とを備える。基板２１と複数個の版型２２とは固定部材２３によって互いに一体に固定されて、押圧転写用型版２が構成される。
【００１５】
図１から図５において、基板２１は、基板２１に形成された基板側取付部２１ｍ、２１ｎにおいて、取付部材５によって、押圧盤１に形成された押圧盤側取付部１ａに着脱可能に取り付けらる。このようにして、基板２１と複数個の版型２２とが一体に固定された状態で、押圧転写装置の押圧盤１に脱着可能に取り付けできる。
【００１６】
図２において、押圧盤１と、押圧盤１に脱着可能に取り付けられた押圧転写用型版２とが構成される。基板２１と複数個の版型２２とが一体に固定された押圧転写用型版２が押圧盤１に取り付けられた状態において、転写材料３が押圧転写用型版２と被転写製品４との間に挟まれた状態で、押圧転写用型版２と被転写製品４とが互いに押圧される。これにより、転写材料３が被転写製品４の表面に転写されて、押圧転写用型版２の所定の凹凸２２ｇにより形成された文字、図柄、記号、画像等が被転写製品４の表面に形成される。押圧転写用型版２が押圧盤１から取り外されたとき、基板２１と複数個の版型２２とが一体となった押圧転写用型版２が所定の場所に持ち運びされて、保管される。押圧転写用型版２と被転写製品４とが互いに押圧される押圧転写装置としては、押圧盤１を駆動する構成が使用できるが、これに限定されることなく、被転写製品４又は転写材料３などを押圧転写用型版２に押圧するように駆動する構成も使用できる。
【００１７】
上記のような押圧転写用型版及びそれを使用した押圧転写装置の構成により、次のような作用効果が得られる。すなわち、予め複数個の版型２２を一つの基板２１に固定して一体となって一つの押圧転写用型版２として組み立てておいて使用するため、その複数個の版型２２の保管や運搬時に、これらの複数個の版型２２がバラバラに分離、分散することなく、一体となって一つの押圧転写用型版２として容易に保管・運搬できる。さらに、所定の押圧転写装置を使用して、予め複数個の版型２２を一体に固定して組み立てた押圧転写用型版２をその押圧転写装置に取り付けて使用し、そして、使用後、その押圧転写用型版２を押圧転写装置から取り外して、異なるロットの文字、図柄、記号及び画像等を有する他の複数個の版型２２を一体に固定して組み立てた他の押圧転写用型版２を取り付けて使用する場合、これらの異なるロットの複数個の版型２２の取り外しと取り付けとの操作が短時間に行え、取扱い操作が容易になる。さらに、複数個の版型２２の取り外しと取り付けとの操作が短時間に行えるため、所定の押圧転写装置を使用して、異なるロットの複数個の版型２２を容易に入れ替えて取り付けることが出来、多くの押圧転写装置を必要とすることなく、所定の押圧転写装置を有効に使用することが出来るようになる。
【００１８】
次に、本発明の実施例をさらに詳細に説明する。図１と図４に示されるように、基板２１と複数個の版型２２とは固定部材２３によって互いに一体に固定されている。複数個の版型２２の各版型２２の押圧面２２ｆは所定の文字、図柄、記号及び画像等を形成する凹凸２２ｇを有する。基板２１は、複数個の版型２２を固定するための複数個の基板側固定部２１ａと、前記押圧盤に脱着可能に取り付けるための複数個の基板側取付部２１ｍ、２１ｎとを有する。複数個の基板側取付部２１ｍ、２１ｎは、基板２１の中心線付近に形成された基板側取付開孔部２１ｍと、基板の周縁に形成された複数の基板側端辺取付切欠部２１ｎとを有する。各版型２２は、基板２１に固定されるための版型側固定部２２ａを有する。各版型２２は版型側固定部２２ａと基板側固定部２１ａにおいて固定部材２３によって基板２１に固定されている。
【００１９】
本実施例においては、基板２１は、横８７０ｍｍ、縦４２５ｍｍ、厚さ４ｍｍの略平板形状であり、第一面２１ｃと第二面２１ｄとを有する。８個の版型２２が固定部材２３により一つの基板２１に互いに一体に固定されて、一つの押圧転写用型版２を構成している。基板２１には、複数箇所に形成された基板側固定部２１ａとしての基板タップ孔２１ａが形成されている。一個の版型２２に対応して３箇所に基板タップ孔２１ａが形成され、８個の版型２２を固定するために合計２４箇所に基板タップ孔２１ａが形成されている。それぞれの基板タップ孔２１ａの大きさはＭ６タップに相当する形状である。また、基板側取付部２１ｍ、２１ｎとしては、基板２１の中央線付近に３７０ｍｍの間隔で２ヶ所に形成された基板側取付開孔部２１ｍと、基板２１の周縁に１４ヶ所に形成された基板側端辺取付切欠部２１ｎとが形成されている。基板側取付開孔部２１ｍは、横１００ｍｍ、縦８０ｍｍの略長方形を有し、基板側端辺取付切欠部２１ｎは横１００ｍｍの切欠き長さを有する。
【００２０】
複数個の版型２２のうちの１個の版型を示す図３において、１個の版型２２は、縦１２５ｍｍ、横９０ｍｍ、厚さ３ｍｍの略平板形状を有する。縦方向に１０５ｍｍ間隔の２ヶ所に版型側固定部２２ａとしての版型貫通孔２２ａが形成され、また、その２ヶ所の版型貫通孔２２ａの中央部から横方向に６５ｍｍの位置に一つの版型貫通孔２２ａが形成されている。版型２２の押圧面２２ｆの中央領域に、文字、図柄、記号又は画像等を表す反転形状凹凸２２ｇが形成されている。本実施例において、文字は凹部で形成されているが、これに限定されることなく、文字、図柄、記号、画像等が凸部又は凹部で形成されることも可能であり、任意の凹凸形状により形成された凹凸２２ｇが使用できる。この凹凸２２ｇは、反転した文字、図柄、記号又は画像等の形状を有する。各貫通孔２２ａの内部の略中央は円形状の段差を有する段差形状であり、段差の押圧面２２ｆ側の口径が広く、その段差の裏面２２ｅ側の口径が狭くなっている。
【００２１】
図１と図４において、固定部材２３として、版型止めネジ２３が使用される。版型止めネジ２３は、略円盤形状のかさ部２３ａとかさ部２３ａの裏面側の中心から突出するネジ切部２３ｂとから成る。かさ部２３ａの表面側に六角穴２３ｃが形成されている。ここで、版型止めネジ２３のかさ部２３ａの厚さが約１ｍｍであり、直径が約１０ｍｍである。ネジ切部２３ｂにはＭ６規格のねじ切りが施され、その長さは約４ｍｍである。基板２１の各基板側固定部２１ａは版型止めネジ２３に合致する大きさと形状のねじ切りが施された基板タップ孔２１ａを有する。版型２２の各版型側固定部２２ａは版型止めネジ２３に合致する形状の段差を形成した版型貫通孔２２ａを有する。版型止めネジ２３が、基板２１の第二面２１ｄ側に位置する版型２２の押圧面２２ｆ側から版型貫通孔２２ａに挿入され、基板２１の第二面２１ｄ側から第一面２１ｃ側に向けて基板タップ孔２１ａに、ねじ止めされて、各版型２２が基板２１に固定される。ねじ止め作業において、版型止めネジ２３の六角穴２３ｃの中に六角棒を挿入しながら回転してねじ止めされる。ここで、版型止めネジ２３のかさ部２３ａの裏面は平面形状であり、版型２２の版型貫通孔２２ａの段差部は平面形状を有し、そのかさ部２３ａの裏面と段差部の平面とが互いに係合して押圧される。このようにして、基板２１と複数個の版型２２とが一体に固定され、かつ、版型止めネジ２３の頭部が版型２２の押圧面２２ｆの表面よりも内部に入り込んだ位置に来るようにねじ止めされている。また、版型止めネジ２３のネジ切部２３ｂの先端も基板２１の第一面２１ｃから突出することなく、基板タップ孔２１ａの内部に入り込んだ位置に来るようにねじ止めされている。また、版型貫通孔２２ａは、版型止めネジ２３の外径よりも大きな口径を有する。すなわち、版型止めネジ２３のかさ部２３ａの直径よりも大きな口径の部分と、ネジ切部２３ｂの直径よりも大きな口径の部分との段差構造の貫通形状を有する。これにより、版型止めネジ２３と版型貫通孔２２ａとの間にクリアランスがあることになり、そのため、各版型２２を基板２１に、位置を微調整して固定することができ、所望の位置に固定できる。以上のようにして、基板２１と複数個の版型２２とを固定部材２３により一体に固定した押圧転写用型版２が構成される。
【００２２】
上記の詳細な構成において、固定部材２３が版型止めネジ２３を有し、基板２１の各基板側固定部２１ａが版型止めネジ２３に合致する形状の基板タップ孔２１ａを有し、版型２２の各版型側固定部２２ａが版型止めネジに合致する形状の版型貫通孔を有し、版型止めネジ２３が、基板２１の第二面２１ｄ側に位置する版型２２の押圧面２２ｆ側から版型貫通孔２２ａに挿入され、基板２１の第二面２１ｄ側から第一面２１ｃ側に向けて基板タップ孔２１ａにネジ止めされて、各版型２２が基板２１に固定され、このようにして、基板２１と複数個の版型２２とが一体に固定され、かつ、版型止めネジ２３の頭部が版型２２の押圧面２２ｆの表面よりも内部に入り込んだ位置に来るようにネジ止めされていることを特徴とする押圧転写用型版２の構成により、前述の効果に加えて、次のような効果が得られる。すなわち、複数個の版型２２を基板２１に、簡単に、確実に、容易に、強固に固定することができ、基板２１と複数個の版型２２とが強固に一体に固定された押圧転写用型版２が得られる。さらに、版型止めネジ２３の頭部が版型２２の押圧面２２ｆの表面よりも内部に入り込んだ位置に来るようにネジ止めされているため、押圧転写用型版２を使用した押圧転写操作時に、版型止めネジ２３が転写材料３に触れることなく、版型２２の押圧面２２ｆに形成された文字、図柄、記号又は画像等を表す反転形状凹凸２２ｇに対応する文字、図柄、記号、画像等が被転写製品の表面に正常に転写される。
【００２３】
また、版型貫通孔２２ａは、版型止めネジ２３の外径よりも大きな口径を有し、各版型２２を基板２１に、位置を微調整して固定することができ、所望の位置に正確に固定できる。
【００２４】
次に、上記のような構成を持つ押圧転写用型版２を、押圧盤１に取り付ける方法を説明する。押圧転写用型版２を押圧盤１に取り付けた構成の主要部の拡大断面図を示す図５において、押圧転写用型版２の基板２１が取付部材５により押圧転写装置の押圧盤１に取り付けられている。押圧盤１の表面には、所定の位置に押圧盤側取付部１ａとしての複数個の押圧盤側取付ネジ穴１ａが形成されている。基板２１に形成された基板側取付部２１ｍ、２１ｎは、図１に示したように、基板の中心線付近に形成された基板側取付開孔部２１ｍと、基板１の周縁に形成された複数個の基板側端辺取付切欠部２１ｎとを有する。それぞれの基板側取付開孔部２１ｍと基板側取付切欠部２１ｎの内周は基板２１の第一面２１ｃ側から第二面２１ｄ側に向かって口径の広がった傾斜を持つ第一テーパ形状を有する。取付部材５はテーパ取付補助板５ａと補助板取付ネジ５ｂとを有する。テーパ取付補助板５ａの中心付近には段差を形成した取付ネジ貫通孔５ｃが形成されている。テーパ取付補助板５ａの周縁は、そのテーパ取付補助板５ａの裏面側から表面側に向かって口径の広がった傾斜を持つ第二テーパ形状を有する。ここで、テーパ取付補助板５ａの周縁に形成された第二テーパの傾斜角度は、基板取付部２１ｍ、２１ｎの内周に形成された第一テーパの傾斜角度と同じ傾斜角度である。このようなそれぞれの部材において、基板２１と複数個の版型２２とを一体に固定した押圧転写用型版の基板２１の第一面２１ｃを押圧盤１の表面に押し当てながら、基板側取付部２１ｍ、２１ｎの中にテーパ取付補助板５ａを係合して、取付ネジ貫通孔５ｃの中に補助板取付ネジ５ｂを挿入して、その補助板取付ネジ５ｂを押圧盤側取付ネジ穴１ａにねじ込んでいく。このとき、テーパ取付補助板５ａの第二テーパ部が基板側取付部２１ｍ、２１ｎの第一テーパ部に係合して、テーパ取付補助板５ａが基板２１を押圧盤１の表面に押圧した状態で、基板２１が押圧盤１に固定して取り付けられる。この場合、取付部材５の表面は、基板２１に固定された複数個の型版２２の表面を結ぶ平面から突出することなく低い位置に位置する。このようにして、基板２１と複数個の型版２２とを一体に固定した押圧転写用型版２が、取付部材５により、押圧転写装置の押圧盤１に取り付けられる。
【００２５】
なお、押圧転写用型版２と基板２１とが一体となって取付部材５により押圧転写装置の押圧盤１に取り付ける構成としては、上記の構成に限定されることなく次のような取付方法も可能である。すなわち、押圧盤側取付部１ａとして、段差付き貫通孔１ａを形成する。取付部材５はテーパ取付補助板５ａと補助板取付ネジ５ｂとを有する。テーパ取付補助板５ａの少なくとも１辺は傾斜を持つ第二テーパを有する。補助板取付ネジ５ｂとして、一対のボルトとナットとを使用する。このナットが段差付き貫通孔１ａの内部に位置した状態で、テーパ取付補助板５ａをボルトとナットとで挟みながら、ボルトを締め付ける。このようにして、テーパ取付補助板５ａの第二テーパ部が基板側取付部２１ｍ、２１ｎの第一テーパ部に係合して、テーパ取付補助板５ａが基板２１を押圧盤１の表面に押圧した状態で、基板２１が押圧盤１に固定して取り付けられる。この場合、テーパ取付補助板５ａの他端は、傾斜を形成しない形状も可能である。
【００２６】
上記の詳細な構成において、押圧盤側取付部１ａは押圧盤１に固有に規定された所定形状を有する押圧盤側取付ネジ穴１ａを有し、取付部材５は、傾斜形状のテーパ端面を有するテーパ取付補助板５ａと、テーパ取付補助板５ａに形成された取付ネジ貫通孔５ｃに挿入設置される補助板取付ネジ５ｂとを有し、基板２１の各基板側取付部２１ｍ、２１ｎが、取付部材５の所定形状に合致する形状の基板側取付開孔部２１ｍ及び／又は基板側端辺取付切欠部２１ｎを有し、基板側取付開孔部２１ｍ及び／又は基板側端辺取付切欠部２１ｎが、第二面２１ｄ側から第一面２１ｃ側に向かって短くなり、且つ、テーパ取付補助板５ａに係合可能な形状のテーパ端面を有し、取付部材５が、基板２１の第二面２１ｄ側から基板２１の基板側取付開孔部２１ｍ又は基板側端辺取付切欠部２１ｎのテーパ端面に合致して挿入されるとともに、補助板取付ネジ５ｂが押圧盤側取付部１ａにネジ止めされて、基板２１と複数個の版型２２とが一体に固定された状態で、押圧盤１に脱着可能に取り付けられることを特徴とする構成により、次のような効果が得られる。すなわち、複数個の版型２２と基板２１とを一体に固定した押圧転写用型版２を、簡単に、確実に、強固に、押圧盤１に固定することができるとともに、また、転写製品のロット替えの場合、その押圧盤１に取り付けられた押圧転写用型版２を、簡単に取り外すことができる。
【００２７】
また、特に、基板２１と各型版２２との厚さの合計が、約５ｍｍから約１０ｍｍまでの範囲であり、基板２１の厚さが約３ｍｍから約７ｍｍまでの厚さであり、各型版２２の厚さが２ｍｍから６ｍｍまでの厚さであり、基板２１の厚さが版型２２の厚さよりも厚いことを特徴とする押圧転写用型版２の構成により、次のような効果が得られる。すなわち、汎用の押圧転写装置においては、押圧盤１の上下動する距離が所定距離に規定されているため、その押圧盤１に取り付ける押圧転写用型版２の厚さも所定厚さに規定限定されてしまう。従って、基板２１と各型版２２との厚さを上記の範囲に規定することにより、押圧転写用型版２を汎用の押圧転写装置に取り付けて使用することが出来る。さらに、基板２１の厚さが版型２２の厚さよりも厚いことにより、押圧転写用型版２を使用した押圧転写操作時に、押圧転写用型版２の全体が変形することなく、また、基板２１が変形することもなく、押圧転写時において、変形することのない頑丈な押圧転写用型版２が得られる。
【００２８】
また、特に、固定部材２３としての版型止めネジ２３が、２ｍｍ以内の厚さのかさ部２３ａと所定長さのネジ切部２３ｂとを有し、版型止めネジ２３が版型２２の押圧面２２ｆ及び基板２１の第一面２１ｃから突出することなく、これらの内部に入り込んだ位置に位置することを特徴とする構成により、次のような効果が得られる。すなわち、汎用の押圧転写装置を使用する場合、前述のように、押圧盤１と被転写製品４との間の距離が所定距離に規定されているため、その押圧盤１に取り付ける押圧転写用型版２の厚さも所定厚さに規定されてしまう。従って、複数個の版型２２と基板２１とを固定部材２３により一体に固定した押圧転写用型版２において、固定部材２３としての版型止めネジ２３の形状や大きさを上記の範囲に限定規定することにより、小さい形状の固定部材２３でありながらも、複数個の版型２２を基板２１に簡単な操作で固定出来ると共に、強固に固定できる。さらに、押圧転写用型版２を使用した押圧転写操作時にも、複数個の版型２２と基板２１と固定部材２３とが、互いに強固に固定されて、がたついたり、固定が緩むこともなく、さらに、押圧転写用型版２の全体が変形することなく、また、基板２１が変形することもなく、押圧転写時において、変形することのない頑丈な押圧転写用型版２が得られる。
【００２９】
押圧転写用型版を押圧盤１に取り付けた場合、図２に示されるように、押圧盤１に取り付けられた押圧転写用型版２と被転写製品４とが、転写材料３を間に挟んだ状態で互いに押圧される。これにより、複数個の版型２２の押圧面２２ｆに形成された反転形状凹凸２２ｇに合致して、転写材料３が被転写製品４の表面に転写されて、押圧転写用型版２の所定の形状凹凸２２ｇの反転した文字、図柄、画像等が被転写製品４の表面に転写形成される。
【００３０】
転写材料３としては、特に限定されないが、押箔材料、プラスチック製転写シート材料、及びホログラム転写材料などが使用される。また、被転写製品としては、特に限定されないが、プラスチック、合成樹脂、ゴム、布、紙、不織布、織布、皮革、木材、金属、又はセラミック等により作られた成型品、シート、プレート、フイルム、又は加工品などが使用される。
【００３１】
押圧盤１としては、加熱機能を持つ加熱押圧盤も使用できる。この場合、加熱押圧盤に取り付けられた押圧転写用型版は、その加熱された押圧盤１から熱伝導により熱をもらって加熱され、加熱された版型２２の押圧面が転写材料３を押圧すると共に加熱する。これにより、複数の版型２２の所定の凹凸形状を持つ文字、図柄、記号、画像等に合致する形状を持つ転写材料が、被転写製品４の表面に転写されると共に接着形成される。
【００３２】
また、転写材料を使用することなく、凹凸面を持つ文字、図柄、記号、画像等を直接に被転写製品の表面に形成することもできる。すなわち、押圧盤１が下降した時、押圧転写用型版２が押圧転写用型版２の下側に載置された被転写製品４を直接に押圧して、複数の版型２２の所定の凹凸形状を持つ文字、図柄、記号、画像等に合致する凹凸が、被転写製品の表面に形成される。
【００３３】
複数個の版型２２及び基板２１の材質としては、特に限定されないが、押圧に対して変形しない程度の硬質を有する材料、又は、加熱押圧に対して変形しない高い耐熱性を有する材料などが使用でき、例えば、金属、金属合金、熱硬化性樹脂、ブラスチック、充填材を含有する複合プラスチック等が使用できる。金属及び金属合金としては、鉄、真鍮、銅、マグネシウム、亜鉛、ニッケル、鉛、チタン、これらの金属の合金、ジュラルミン、ステンレスなどが使用できる。
【００３４】
特に、複数個の版型２２及び基板２１の材質としては、ジュラルミン又はステンレスの使用が望ましい。複数個の版型２２がステンレス製であり、基板２１がジュラルミン製である構成も望ましい。これらの構成により、基板２１や複数個の版型２２が押圧や加熱により変形することなく、長期の使用が可能であり、さらに、軽量であるため、押圧盤１への取付作業、取外作業、及び、取り外した押圧転写用型版２の持ち運び作業などの取扱いが著しく容易になる。
【産業上の利用可能性】
【００３５】
箔押用版、エンボス版、ホットスタンピング版、及び、熱押圧転写版などに使用される押圧転写用型版及びそれを使用した押圧転写装置である。予め複数個の版型を一つの基板に固定して一体となって一つの押圧転写用型版として組み立てておいて使用するため、その複数個の版型の保管や運搬時に、一体となって一つの押圧転写用型版して容易に保管・運搬できる。さらに、所定の押圧転写装置を使用して、一つのロットの複数個の版型を押圧転写装置から取り外して、異なるロットの異なる他の複数個の版型を押圧転写装置に取り付けて使用する場合、これらの互いに異なるロットの複数個の版型の取り外し操作と取り付け操作との操作が短時間に行え、取扱い操作が容易になる。多くの押圧転写装置を必要とすることなく、所定の押圧転写装置を有効に使用することが出来るようになる。
【図面の簡単な説明】
【００３６】
【図１】本発明の一実施例の押圧転写用型版の概略図であり、（Ａ）は平面図であり、（Ｂ）は側面図。
【図２】図１に示される押圧転写用型版を使用した押圧転写装置の主要部の構成を示す説明図。
【図３】本発明の一実施例の図１及び図２に示される複数個の版型のうちの１個の版型の概略図であり、（Ａ）は平面図であり、（Ｂ）は側面図。
【図４】本発明の一実施例の押圧転写用型版において、固定部材を使用して、版型と基板とを固定した主要部の構成を示す拡大断面図。
【図５】本発明の一実施例の押圧転写用型版及びそれを使用した押圧転写装置において、押圧転写用型版を押圧盤に取り付けた構成の主要部の拡大断面図。
【図６】従来の押圧転写用型版を取り付けた押圧転写装置の主要部の構成を示す説明図。
【符号の説明】
【００３７】
１      押圧盤
１ａ    押圧盤側取付部（押圧盤側取付ネジ穴）
２      押圧転写用型版
３      転写材料
４      被転写製品
５      取付部材
５ａ    テーパ取付補助板
５ｂ    補助板取付ネジ
５ｃ    取付ネジ貫通孔
２１    基板
２１ａ  基板側固定部（基板タップ孔）
２１ｃ  第一面
２１ｄ  第二面
２１ｍ  基板側取付開孔部（基板側取付部）
２１ｎ  基板側端辺取付切欠部（基板側取付部）
２２    複数個の版型
２２ａ  版型側固定部（版型貫通孔）
２２ｅ  押圧面の裏面
２２ｆ  押圧面
２２ｇ  文字、図柄、画像等を表す反転形状の凹凸
２３    固定部材（版型止めネジ）
２３ａ  かさ部
２３ｂ  ネジ切部
２３ｃ  六角穴
【図１】
2005305737.tif 000003
【図２】
2005305737.tif 000004
【図３】
2005305737.tif 000005
【図４】
2005305737.tif 000006
【図５】
2005305737.tif 000007
【図６】
2005305737.tif 000008